(57)【要約】【課題】シャットオフ衝撃数を適切に補正する技術を提供する。【解決手段】設定部１５はインパクト機構９のシャットオフ衝撃数を設定する。衝撃検出部１２はインパクト機構９によりアンビル７に加えられた衝撃を検出する。制御部１０は、衝撃検出部１２で検出された衝撃数をカウントして、カウントした衝撃数がシャットオフ衝撃数になるとモータの回転を停止させる。回転角取得部１９は、インパクト機構９の１回の衝撃によるアンビル回転角を取得する。制御部１０は、回転角取得部１９により取得されたアンビル回転角が所定の閾値となったとき又は所定の閾値を下回ったときの衝撃数にもとづいて、設定部１５により設定されたシャットオフ衝撃数を補正する。【選択図】図１
2018089705.tif 000002
【特許請求の範囲】
【請求項１】
モータ出力によってアンビルに間欠的な回転衝撃力を発生させるインパクト機構と、前記インパクト機構のシャットオフ衝撃数を設定する設定部と、前記インパクト機構によりアンビルに加えられた衝撃を検出する衝撃検出部と、前記衝撃検出部で検出された衝撃数をカウントして、カウントした衝撃数がシャットオフ衝撃数になるとモータの回転を停止させる制御部と、前記インパクト機構の１回の衝撃によるアンビル回転角を取得する回転角取得部と、を備えたインパクト回転工具であって、
前記回転角取得部により取得されたアンビル回転角が所定の閾値となったとき又は所定の閾値を下回ったときの衝撃数にもとづいて、前記制御部は、前記設定部により設定されたシャットオフ衝撃数を補正する、
ことを特徴とするインパクト回転工具。
【請求項２】
１回の衝撃によるアンビル回転角が所定の閾値となるまでの基準衝撃数を記憶する基準衝撃数記憶部をさらに備え、
前記制御部は、基準衝撃数と、前記回転角取得部により取得されたアンビル回転角が所定の閾値となったとき又は所定の閾値を下回ったときの衝撃数との差である補正衝撃数をもとに、シャットオフ衝撃数を補正する、
ことを特徴とする請求項１に記載のインパクト回転工具。
【請求項３】
前記制御部は、シャットオフ衝撃数に補正衝撃数を加算することで、シャットオフ衝撃数を補正する、
ことを特徴とする請求項２に記載のインパクト回転工具。
【請求項４】
アンビル回転角の所定の閾値は、基準衝撃数が所定値以上となるように設定される、
ことを特徴とする請求項２または３に記載のインパクト回転工具。
【請求項５】
前記回転角取得部は、連続するＫ回の衝撃によるＫ個のアンビル回転角を移動平均処理することで、１回の衝撃によるアンビル回転角を取得するものであって、
アンビル回転角の所定の閾値は、基準衝撃数がＫ以上となるように設定される、
ことを特徴とする請求項４に記載のインパクト回転工具。
【発明の詳細な説明】
【技術分野】
【０００１】
本発明は、ボルトやナットなどのねじ部材を間欠的な回転衝撃力により締め付けるインパクト回転工具に関する。
【背景技術】
【０００２】
メカニカル方式のインパクト回転工具は、モータ出力で回転するハンマがアンビルを回転方向に打撃することで出力軸に間欠的な回転衝撃力を発生させて、ねじ部材を締め付ける。またインパクト回転工具の一種であるオイルパルス工具は、モータ出力で回転するライナが油室間に圧力差を生じさせることで出力軸に間欠的な回転衝撃力を発生させて、ねじ部材を締め付ける。インパクト回転工具は組立工場などで使用されるため、ねじ部材の締付トルクは、ユーザにより設定された値となるように正確に制御される必要がある。
【０００３】
締付トルクの制御精度を高めるためには、出力軸にトルク測定手段を設けて実際の締付トルクを直接測定することが好ましいが、工具の高コスト化および大型化を招くという問題がある。そのため従来より、締付トルクが設定値になったことを推定することでモータを自動停止するシャットオフ機能を備えたインパクト回転工具が提供されている。特許文献１は、インパクト機構による打撃を検出する打撃検出手段と、打撃検出手段で検出された打撃数をカウントして、カウントした打撃数が、ユーザが設定した締付トルクに対応する打撃数になるとモータを自動停止させる制御手段を備えたメカニカル方式のインパクト回転工具を開示する。
【先行技術文献】
【特許文献】
【０００４】
【特許文献１】特開２００９−８３０３８号公報
【発明の概要】
【発明が解決しようとする課題】
【０００５】
メカニカル方式のインパクト回転工具が被締結部材の面上に複数のボルトを締結する場合、先にボルトを締結した部位が相対的に沈み込むことで、後からボルトを締結する部位が元の状態から若干傾く。この傾いた部位にボルトを締結する際、インパクト回転工具は、被締結部材の傾きによる負荷を受けることで、ボルトの着座前にインパクト機構による打撃を開始することがある。また被締結部材やボルトの塗装を削り取りながらボルトを締結する場合や、ボルトと被締結部材との間にばねワッシャなどが挟み込まれている場合も、インパクト回転工具は、ボルトの着座前にインパクト機構による打撃を開始することがある。これらの場合に、インパクト回転工具が、ユーザが設定した締付トルク値に対応する打撃（衝撃）数（以下、「シャットオフ衝撃数」とも呼ぶ）でモータを自動停止させると、ボルト着座前の負荷によって打撃数を消化していることで、締結後のボルトの締付トルク値が、ユーザが設定した締付トルク値に到達しないことがある。
【０００６】
本発明はこうした状況に鑑みなされたものであり、その目的は、ユーザが設定した締付トルク値でねじ部材を締結するべく、シャットオフ衝撃数を適切に補正する技術を提供することにある。
【課題を解決するための手段】
【０００７】
上記課題を解決するために、本発明のある態様のインパクト回転工具は、モータ出力によってアンビルに間欠的な回転衝撃力を発生させるインパクト機構と、インパクト機構のシャットオフ衝撃数を設定する設定部と、インパクト機構によりアンビルに加えられた衝撃を検出する衝撃検出部と、衝撃検出部で検出された衝撃数をカウントして、カウントした衝撃数がシャットオフ衝撃数になるとモータの回転を停止させる制御部と、インパクト機構の１回の衝撃によるアンビル回転角を取得する回転角取得部と、を備える。制御部は、回転角取得部により取得されたアンビル回転角が所定の閾値となったとき又は所定の閾値を下回ったときの衝撃数にもとづいて、設定されたシャットオフ衝撃数を補正する。
【発明の効果】
【０００８】
本発明によれば、シャットオフ衝撃数を適切に補正する技術を提供できる。
【図面の簡単な説明】
【０００９】
【図１】実施形態に係るインパクト回転工具の構成を示す図である。
【図２】ハンマがアンビルに回転方向の打撃を加える様子を示す図である。
【図３】目標トルク値とシャットオフ衝撃数の対応関係を示す図である。
【図４】アンビル回転角と衝撃数との関係を示す図である。
【図５】アンビル回転角と衝撃数との関係を比較するための図である。
【図６】アンビル回転角に対して設定される閾値を示す図である。
【発明を実施するための形態】
【００１０】
図１は、本発明の実施形態に係るメカニカル方式のインパクト回転工具の構成を示す。インパクト回転工具１において、電力はバッテリパックに内蔵された充電電池により供給される。駆動源であるモータ２はモータ駆動部１１により駆動され、モータ２の回転出力は、減速機３によって減速されて駆動軸５に伝達される。駆動軸５には、カム機構（図示せず）を介してハンマ６が連結され、ハンマ６は、ばね４により出力軸８を備えるアンビル７に向けて付勢される。
【００１１】
ハンマ６とアンビル７との間に所定値以上の負荷が作用しない間は、ハンマ６とアンビル７とが回転方向に係合し、ハンマ６は、駆動軸５の回転をアンビル７に伝達する。しかしながらハンマ６とアンビル７との間に所定値以上の負荷が作用すると、ハンマ６がカム機構によりばね４に抗して後退し、ハンマ６とアンビル７との係合状態が解除される。その後、ばね４による付勢とカム機構による誘導により、ハンマ６は回転しながら前進してアンビル７に回転方向の打撃を加える。インパクト回転工具１において、ばね４、駆動軸５、ハンマ６およびカム機構は、モータ出力によってアンビル７および出力軸８に打撃を加えて、アンビル７および出力軸８に間欠的な回転衝撃力を発生させるインパクト機構９を構成する。
【００１２】
インパクト回転工具１において、制御部１０、設定部１５、回転角取得部１９、導出部２０などの構成は、制御基板に搭載されるマイクロコンピュータなどにより実現される。制御部１０は、モータ２の回転を制御する機能を有する。操作スイッチ１６は、ユーザにより操作されるトリガスイッチであって、制御部１０は、操作スイッチ１６の操作によりモータ２のオンオフを制御するとともに、操作スイッチ１６の操作量に応じた駆動指示をモータ駆動部１１に供給する。モータ駆動部１１は、制御部１０から供給される駆動指示によりモータ２の印加電圧を制御して、モータ回転数を調整する。
【００１３】
衝撃検出部１２は、インパクト機構９によりアンビル７に加えられた衝撃を検出する。たとえば衝撃検出部１２は、ハンマ６がアンビル７を打撃することによる衝撃を検出する衝撃センサと、衝撃センサの出力を増幅して制御部１０に供給する増幅器を含んで構成されてよい。たとえば衝撃センサは、圧電式ショックセンサであって衝撃に応じた電圧信号を出力し、増幅器は、出力された電圧信号を増幅して制御部１０に供給する。なお衝撃検出部１２は、別の構成を採用してもよく、たとえば打撃音を検出することで、インパクト機構９によりアンビル７に加えられた衝撃を検出する音センサであってもよい。
【００１４】
回転角検出部１８は、モータ２および／またはアンビル７の回転角を検出する。実施形態において回転角検出部１８は、モータ２の回転角を検出する磁気ロータリエンコーダであってよい。回転角検出部１８は、モータ回転角検出信号を回転角取得部１９に供給する。実施形態において回転角取得部１９は、モータ回転角検出信号から、アンビル７の回転角を取得する機能を有する。ここで回転角取得部１９は、インパクト機構９による衝撃ごとにアンビル７が回転する角度を取得する。以下、１回の衝撃によりアンビル７が回転する角度を、単に「アンビル回転角」と呼ぶ。
【００１５】
図２（ａ）〜図２（ｃ）は、ハンマ６がアンビル７に回転方向の打撃を加える様子を示す。ハンマ６は、前面から立設する一対のハンマ爪６ａ、６ｂを有し、アンビル７は、中心部から径方向に延びる一対のアンビル爪７ａ、７ｂを有する。
【００１６】
図２（ａ）は、ハンマ爪とアンビル爪とが周方向に係合した状態を示す。ハンマ爪６ａおよびハンマ爪６ｂは、それぞれアンビル爪７ａおよびアンビル爪７ｂに係合して、矢印Ａで示す方向に回転力を加える。
図２（ｂ）は、ハンマ爪とアンビル爪との係合状態が解除された状態を示す。係合状態においてハンマ６とアンビル７の間に所定値以上の負荷が作用すると、ハンマ６はカム機構（図示せず）により後退し、ハンマ爪６ａとアンビル爪７ａとの係合状態、およびハンマ爪６ｂとアンビル爪７ｂとの係合状態がそれぞれ解除される。
図２（ｃ）は、ハンマ爪がアンビル爪を打撃してアンビル７を回転させた状態を示す。ハンマ爪６ａ、６ｂとアンビル爪７ａ、７ｂとの係合状態が解除されると、ハンマ６は矢印Ａで示す方向に回転しながら前進して、ハンマ爪６ａ、ハンマ爪６ｂが、それぞれアンビル爪７ｂ、アンビル爪７ａを打撃する。この打撃衝撃によりアンビル７は、ｌ１とｌ２のなす角度φだけ回転し、このときハンマ６の回転角は（π＋φ）となる。
【００１７】
そこで回転角取得部１９は、以下の式１を用いて、衝撃間のモータ回転角θから、１衝撃あたりのアンビル回転角φを取得できる。回転角取得部１９は、インパクト機構９による衝撃があったことを制御部１０から通知され、回転角取得部１９は、通知されたタイミングで、モータ回転角検出信号から衝撃間のモータ回転角θを導出する。
【数１】
2018089705.tif 000003
ここでηは減速機３による減速比を示す。
ハンマ６がアンビル７を打撃するたびに、ねじ部材の締付トルクは大きくなるため、打撃衝撃ごとに取得されるアンビル回転角φは徐々に小さくなる傾向を示す。
【００１８】
回転角取得部１９は、衝撃間のモータ回転角θを用いて１回の衝撃によるアンビル回転角φを取得できるが、アンビル回転角φの取得精度は、モータ回転角θの検出精度に依存する。本来であれば衝撃ごとにアンビル回転角φは徐々に小さくなっていくところ、モータ回転角θの検出精度が低ければ、アンビル回転角φが前回衝撃によるアンビル回転角より大きく計算されるようなことも生じうる。そこで回転角取得部１９は、連続するＫ回の衝撃によるＫ個のアンビル回転角を移動平均処理することで、１回の衝撃によるアンビル回転角φを取得してもよい。移動平均処理を行うことで、回転角取得部１９は、信頼性の高いアンビル回転角φを取得することが可能となる。
【００１９】
実施形態では、回転角取得部１９が、モータ回転角検出信号からアンビル回転角φを取得するが、別の例では回転角検出部１８が、アンビル７の回転角を直接検出してもよい。このとき回転角取得部１９は、回転角検出部１８から供給されるアンビル回転角検出信号にもとづいて、衝撃間のアンビル回転角φを取得できる。
【００２０】
ユーザは作業開始前に、作業対象に応じた目標締付トルク値（以下、単に「目標トルク値」とも呼ぶ）をインパクト回転工具１に設定する。締付作業中、インパクト回転工具１は、衝撃検出部１２で検出された衝撃数をカウントし、カウントした衝撃数が目標トルク値に対応する衝撃数（シャットオフ衝撃数）になると、モータ２の回転を自動停止させるシャットオフ機能を実行する。
【００２１】
シャットオフ衝撃数記憶部１７は、目標トルクの各設定値に対応するシャットオフ衝撃数を記憶する。シャットオフ衝撃数記憶部１７は、たとえば３０ステップの設定値のそれぞれに対応するシャットオフ衝撃数を記憶する。このことはユーザが作業対象に応じて、３０ステップの締付トルク値の中から１つを選択できることを意味する。シャットオフ衝撃数記憶部１７はマスターテーブルとして構成され、記憶内容は更新不可とされてよい。設定部１５は、シャットオフ衝撃数記憶部１７の記憶内容を参照して、インパクト機構９のシャットオフ衝撃数を設定する機能を有する。
【００２２】
図３は、シャットオフ衝撃数記憶部１７に記憶されている目標トルク値とシャットオフ衝撃数の対応関係を示す。たとえば目標トルク値が６０［Ｎｍ］に設定される場合、設定部１５は、シャットオフ衝撃数記憶部１７の記憶内容を参照して、シャットオフ衝撃数を「６４回」と設定する。
【００２３】
なおシャットオフ衝撃数記憶部１７は、目標トルク値に対応するシャットオフ衝撃数を設定部１５が導出するための情報またはデータを記憶していればよく、たとえば目標トルク値からシャットオフ衝撃数を演算して求めるための計算式を記憶していてもよい。従来より、インパクト回転工具による締付トルクは打撃数の平方根に比例することが知られている。そのためインパクト回転工具１の製造メーカは、所定のねじ部材および被締結部材を用いて複数の締付トルク値を実現するためのシャットオフ衝撃数を測定して、計算式における比例定数であるトルク係数ｋを求め、シャットオフ衝撃数記憶部１７に記憶させてもよい。
【００２４】
受付部１４はユーザによる操作入力を受け付け、設定部１５に供給する。受付部１４は無線通信モジュールを有し、ユーザは工具付属のリモートコントローラを用いて、インパクト回転工具１に対する操作入力を行う。なお工具本体に操作ボタン類やタッチパネルが設けられ、受付部１４が、ユーザによる操作入力を受け付けてもよい。
【００２５】
作業開始前、ユーザはリモートコントローラを用いて目標トルク値を選択する。受付部１４が目標トルク値の選択入力を受け付けると、設定部１５はシャットオフ衝撃数記憶部１７の記憶内容を参照して、目標トルク値に対応するシャットオフ衝撃数を導出し、制御部１０に供給する。実施形態において、設定部１５がシャットオフ衝撃数を導出して制御部１０に供給し、制御部１０がシャットオフ衝撃数をモータ２の回転制御に利用できる状態にすることを、シャットオフ衝撃数の設定処理と呼ぶ。
【００２６】
作業中、制御部１０は衝撃検出部１２の出力電圧を監視し、衝撃検出部１２の出力電圧が打撃判定電圧Ｖthを超えると、インパクト機構９による打撃によりアンビル７に間欠的な回転衝撃力が発生したことを判定する。制御部１０は、回転衝撃力が生じたことを判定すると、その判定結果を回転角取得部１９に通知する。なお制御部１０は、衝撃検出部１２の出力電圧と打撃判定電圧Ｖthとを比較するコンパレータを有し、コンパレータの出力から、アンビル７に間欠的な回転衝撃力が発生したことを判定してよい。
【００２７】
制御部１０は、衝撃検出部１２で検出された衝撃数をカウントする。制御部１０は、カウントした衝撃数がシャットオフ衝撃数になると、モータ２の回転を自動停止させる。このときねじ部材の締付トルク値は、ユーザが設定した目標トルク値となっている必要がある。
【００２８】
作業対象であるねじ部材と被締結部材によっては、ねじ部材が被締結部材に着座する前に、ハンマ６とアンビル７との間に所定値以上の負荷（以下、「途中負荷」とも呼ぶ）が生じて、ハンマ６がアンビル７を打撃することがある。この場合、制御部１０がシャットオフ衝撃数でモータ２の回転を停止させると、途中負荷により打撃（衝撃）数を消化しているために、締結後のボルトの締付トルク値が、ユーザが設定した目標トルク値に到達しない。そこで実施形態の制御部１０は、途中負荷が発生した場合に、設定部１５により設定されたシャットオフ衝撃数を適切に補正する機能を有している。
【００２９】
図４は、アンビル回転角と衝撃数との関係を示す図である。インパクト回転工具１の製造メーカは、複数の締付トルク値を実現するためのシャットオフ衝撃数を測定する際に、アンビル回転角と衝撃数の関係もあわせて測定する。アンビル回転角と衝撃数との関係は、図示しない記憶部に記憶される。途中負荷が存在しなければ、ラインＬ１に示されるように、打撃が開始されてからしばらくの間は、打撃ごとにアンビル回転角が大きく減少し、その後、打撃ごとのアンビル回転角の減少率が小さくなる傾向がある。
【００３０】
図５は、アンビル回転角と衝撃数との関係を比較するための図である。ラインＬ２は、ねじ部材の着座前に途中負荷が存在した場合に取得されるアンビル回転角と衝撃数との関係を示している。ラインＬ２に示すように、途中負荷が存在する場合には、インパクト機構９が途中負荷に対して打撃を発生させるため、ねじ部材の着座時には既に衝撃数を消化してしまう。途中負荷に対して消化した衝撃数を「ｎ回」とすると、図３に示すようにシャットオフ衝撃数が「６４回」に設定されている場合には、ねじ部材の着座後の衝撃数が（６４−ｎ）回となり、締付トルク値が目標トルク値よりも不足することが生じうる。
【００３１】
そこで実施形態では、制御部１０が、途中負荷に消化された衝撃数をシャットオフ衝撃数に加算することで、設定部１５により設定されたシャットオフ衝撃数を補正する処理を実施する。この補正処理で制御部１０は、アンビル回転角の所定の閾値を利用する。制御部１０は、回転角取得部１９により取得されたアンビル回転角が所定の閾値となったとき又は所定の閾値を下回ったときの衝撃数にもとづいて、設定部１５により設定されたシャットオフ衝撃数を補正する。
【００３２】
図６は、アンビル回転角に対して設定される閾値Ｔｈを示す。閾値Ｔｈは、途中負荷よりも大きな負荷に対応するアンビル回転角に設定される。つまり回転角取得部１９により取得されるアンビル回転角が閾値Ｔｈとなったとき又は閾値Ｔｈを下回ったときには、既にねじ部材が着座して、締付が行われている状態となっているように閾値Ｔｈが設定される。閾値Ｔｈは、デフォルト値として定められていてよいが、ユーザがリモートコントローラを用いて設定できてもよい。
【００３３】
基準衝撃数記憶部２１は、１回の衝撃によるアンビル回転角が閾値Ｔｈとなるまでの衝撃数を記憶する。以下、この衝撃数を「基準衝撃数」と呼ぶ。ラインＬ１において、アンビル回転角が閾値Ｔｈとなるまでの基準衝撃数はＮ１である。このことは、途中負荷がない場合に衝撃数がＮ１となると、アンビル回転角が閾値Ｔｈとなることを示す。
【００３４】
なおユーザが閾値Ｔｈを設定する場合、受付部１４が閾値Ｔｈの設定入力を受け付けると、導出部２０が、図４に示すアンビル回転角と衝撃数との関係から、基準衝撃数Ｎ１を導出して、基準衝撃数記憶部２１に記憶させてもよい。
【００３５】
一方、途中負荷が存在する締付作業においては、ラインＬ２を参照して、回転角取得部１９により取得されたアンビル回転角が閾値Ｔｈとなったとき又は閾値Ｔｈを下回ったときの衝撃数はＮ２である。制御部１０は、基準衝撃数Ｎ１と実際の衝撃数Ｎ２との差（Ｎ２−Ｎ１）を、補正衝撃数として算出する。この補正衝撃数は、実際のアンビル回転角が閾値Ｔｈとなるまでの間に、途中負荷を乗り越えるために消化された衝撃数に相当する。そこで制御部１０は、算出した補正衝撃数をもとに、シャットオフ衝撃数を補正する。具体的に制御部１０は、シャットオフ衝撃数に補正衝撃数を加算することで、シャットオフ衝撃数を補正する。
【００３６】
図６において、ラインＬ３は、ラインＬ１を補正衝撃数分だけ右側に平行移動したものである。実際のアンビル回転角が閾値Ｔｈを示すとき、ねじ部材は既に着座して締付されているため、ラインＬ２で示すアンビル回転角は、衝撃数Ｎ２以降の打撃により、ラインＬ３に示す関係にしたがって実質的に推移することになる。
【００３７】
実施形態において、アンビル回転角の閾値Ｔｈは、基準衝撃数Ｎ１が所定値以上となるように設定されることが好ましい。たとえば回転角取得部１９が、連続するＫ回の衝撃によるＫ個のアンビル回転角を移動平均処理することでアンビル回転角φを取得する場合、打撃開始から（Ｋ−１）打撃目までは、正確なアンビル回転角φを取得することが難しい。そのため閾値Ｔｈは、基準衝撃数がＫ以上となるように設定されることが好ましい。
【００３８】
また図４でラインＬ１に示されるように、アンビル回転角は、打撃が開始されてからしばらくの間は大きく減少し、その後、減少率が小さくなる傾向がある。ラインＬ１では、１０打目以降から減少率が小さくなる傾向が示されているが、閾値Ｔｈは、アンビル回転角の減少率が所定値以下となるときのアンビル回転角に設定されてもよい。アンビル回転角の減少率が所定値以下となっている場合には、ねじ部材の締付が開始されている可能性が高く、アンビル回転角の減少率を基準に閾値Ｔｈを設定することも有効である。
【００３９】
以上、本発明を実施形態をもとに説明した。この実施形態は例示であり、それらの各構成要素あるいは各処理プロセスの組合せにいろいろな変形例が可能なこと、またそうした変形例も本発明の範囲にあることは当業者に理解されるところである。
【００４０】
実施形態で説明したように、制御部１０は、アンビル回転角が閾値Ｔｈとなったとき又は閾値Ｔｈを下回ったときの衝撃数Ｎ２にもとづいてシャットオフ衝撃数を補正する。制御部１０は、カウントする衝撃数がシャットオフ衝撃数となった時点で、まだアンビル回転角が閾値Ｔｈとなっていない場合には、モータ２の回転を停止せず、継続することが好ましい。このような状況は、たとえばボルトの全長にわたって途中負荷が存在する場合や、シャットオフ衝撃数が少なく設定されるケースで生じうる。この場合、制御部１０は、シャットオフ衝撃数に到達後もモータ２の回転を継続し、アンビル回転角が閾値Ｔｈとなったとき又は下回った時点で補正衝撃数を算出して、シャットオフ衝撃数を補正し、補正したシャットオフ衝撃数でモータ２の回転を制御する。
【００４１】
また実施形態のインパクト回転工具１は、駆動源として電動モータであるモータ２を搭載しているが、他の種類のモータ、たとえばエアモータを搭載してもよい。また実施形態のインパクト回転工具１はメカニカル方式の回転工具であるが、他の種類のインパクト回転工具、たとえばオイルパルス工具であってもよい。
【００４２】
本発明の態様の概要は、次の通りである。
本発明のある態様のインパクト回転工具（１）は、モータ出力によってアンビル（７）に間欠的な回転衝撃力を発生させるインパクト機構（９）と、インパクト機構のシャットオフ衝撃数を設定する設定部（１５）と、インパクト機構によりアンビルに加えられた衝撃を検出する衝撃検出部（１２）と、衝撃検出部で検出された衝撃数をカウントして、カウントした衝撃数がシャットオフ衝撃数になるとモータの回転を停止させる制御部（１０）と、インパクト機構の１回の衝撃によるアンビル回転角を取得する回転角取得部（１９）とを備える。制御部（１０）は、回転角取得部（１９）により取得されたアンビル回転角が所定の閾値Ｔｈとなったとき又は所定の閾値Ｔｈを下回ったときの衝撃数にもとづいて、設定部（１５）により設定されたシャットオフ衝撃数を補正する。
【００４３】
インパクト回転工具（１）は、１回の衝撃によるアンビル回転角が所定の閾値となるまでの基準衝撃数を記憶する基準衝撃数記憶部（２１）をさらに備えてよい。制御部（１０）は、基準衝撃数と、回転角取得部により取得されたアンビル回転角が所定の閾値となったとき又は所定の閾値を下回ったときの衝撃数との差である補正衝撃数をもとに、シャットオフ衝撃数を補正してよい。このとき制御部（１０）は、シャットオフ衝撃数に補正衝撃数を加算することで、シャットオフ衝撃数を補正してよい。
【００４４】
なおアンビル回転角の所定の閾値は、基準衝撃数が所定値以上となるように設定されることが好ましい。また回転角取得部（１９）は、連続するＫ回の衝撃によるＫ個のアンビル回転角を移動平均処理することで、１回の衝撃によるアンビル回転角を取得するものであってよく、このときアンビル回転角の所定の閾値は、基準衝撃数がＫ以上となるように設定されることが好ましい。
【符号の説明】
【００４５】
１・・・インパクト回転工具、２・・・モータ、３・・・減速機、６・・・ハンマ、７・・・アンビル、９・・・インパクト機構、１０・・・制御部、１２・・・衝撃検出部、１５・・・設定部、１７・・・シャットオフ衝撃数記憶部、１８・・・回転角検出部、１９・・・回転角取得部、２１・・・基準衝撃数記憶部。
【図１】
2018089705.tif 000004
【図２】
2018089705.tif 000005
【図３】
2018089705.tif 000006
【図４】
2018089705.tif 000007
【図５】
2018089705.tif 000008
【図６】
2018089705.tif 000009